(57)【要約】【課題】災害発生時に被災者となったユーザが所持する携帯端末のバッテリ残量に応じて、該ユーザとメールの送受信を行える連絡相手を限定することのできるシステムを提供する。【解決手段】災害時連絡相手管理システム１の連絡相手管理装置１０は、災害発生時に災害情報が災害通知装置からキャストされると、該災害情報で示される被災区域に住所が含まれる登録ユーザ２を特定し、該登録ユーザ２の携帯端末１１に対してバッテリ残量の送信要求を行った後、該登録ユーザとメールの送受信を行える連絡相手を、該登録ユーザが所持する携帯端末１１のバッテリ残量が適合する対象バッテリ残量に対応付けられた災害時連絡相手に限定する指示を該登録ユーザ２が利用している通信会社のメール装置１３へ送信する。【選択図】図１
2013080303.tif 000002
【特許請求の範囲】
【請求項１】
災害発生時に、ユーザ登録した登録ユーザの連絡相手を管理する連絡相手管理装置と、登録ユーザが所持する携帯端末とから少なくとも構成される災害時連絡相手管理システムであって、
前記携帯端末は、前記携帯端末のバッテリ残量を取得するバッテリ残量取得手段と、前記連絡相手管理装置からバッテリ残量の送信要求を受けると、前記バッテリ残量取得手段が取得したバッテリ残量を前記連絡相手管理装置へ送信する制御手段を備え、
前記連絡相手管理装置は、災害発生時に災害情報をキャストする災害通知装置から災害情報を取得する災害情報取得手段と、前記登録ユーザが所持する携帯端末の連絡先と、前記登録ユーザの災害時連絡相手の連絡先を災害時連絡相手に設定された対象バッテリ残量に対応付けて記憶し、前記災害情報取得手段が災害情報を前記災害通知装置から受信すると、該災害情報で示される被災区域に住所が含まれる前記登録ユーザを特定し、該登録ユーザの連絡先に対してバッテリ残量の送信要求を行った後、該登録ユーザとメールの送受信を行える連絡相手を、該登録ユーザが所持する携帯端末のバッテリ残量が適合する対象バッテリ残量に対応付けられた該登録ユーザの災害時連絡相手に限定する指示を該登録ユーザが利用している通信会社のメール装置へ送信する連絡相手管理手段を備え、
ていることを特徴とする災害時連絡相手管理システム。
【請求項２】
前記携帯端末は、前記携帯端末の位置情報を取得する位置情報取得手段を備え、前記制御手段は、前記連絡相手管理装置から位置情報の送信要求を受けると、前記位置情報取得手段が取得した位置情報を前記連絡相手管理装置へ送信する手段で、
前記連絡相手管理装置の前記連絡相手管理手段は、前記被災区域に住所が含まれる登録ユーザの連絡先に対してバッテリ残量の送信要求を行う前に、該登録ユーザの連絡先に対して位置情報の送信要求を行い、位置情報が該被災区域に含まれる該ユーザの連絡先に対してのみバッテリ残量の送信要求を行うことを特徴とする、請求項１に記載した災害時連絡相手管理システム。
【請求項３】
前記連絡相手管理装置の前記連絡相手管理手段は、前記携帯端末のバッテリ残量が適合する対象バッテリ残量に対応付けられた前記登録ユーザの災害時連絡相手に対して、前記携帯端末の位置情報が記された電子メールを送信することを特徴とする、請求項２に記載した災害時連絡相手管理システム。
【請求項４】
前記連絡相手管理装置の前記連絡相手管理手段は、前記被災区域に住所が含まれる登録ユーザとメールの送受信を行える連絡相手を限定する指示に加え、該登録ユーザが所持する前記携帯端末のメール受信方法を手動設定に変更する指示を該登録ユーザが利用している通信会社のメール装置へ送信することを特徴とする、請求項１乃至３のいずれか一項に記載した災害時連絡相手管理システム。
【請求項５】
前記連絡相手管理装置は、ユーザ登録するユーザが、ユーザが所持する携帯端末の連絡先と、ユーザの災害時連絡相手の連絡先と該災害時連絡相手の対象バッテリ残量を設定するユーザ登録手段を備えていることを特徴とする、請求項１乃至４のいずれか一項に記載した災害時連絡相手管理システム。
【請求項６】
災害発生時に災害情報をキャストする災害通知装置から災害情報を取得する災害情報取得手段と、登録ユーザが所持する携帯端末の連絡先と、前記登録ユーザの災害時連絡相手の連絡先を災害時連絡相手に設定された対象バッテリ残量に対応付けて記憶し、前記災害情報取得手段が災害情報を前記災害通知装置から受信すると、該災害情報で示される被災区域に住所が含まれる前記登録ユーザを特定し、該登録ユーザの連絡先に対してバッテリ残量の送信要求を行った後、該登録ユーザとメールの送受信を行える連絡相手を、該登録ユーザが所持する携帯端末のバッテリ残量が適合する対象バッテリ残量に対応付けられた該登録ユーザの災害時連絡相手に限定する指示を該登録ユーザが利用している通信会社のメール装置へ送信する連絡相手管理手段を備えていることを特徴とする連絡相手管理装置。
【請求項７】
前記連絡相手管理装置の前記連絡相手管理手段は、前記被災区域に住所が含まれる登録ユーザの連絡先に対してバッテリ残量の送信要求を行う前に、該登録ユーザの連絡先に対して位置情報の送信要求を行い、位置情報が該被災区域に含まれる該ユーザの連絡先に対してのみバッテリ残量の送信要求を行うことを特徴とする、請求項６に記載した災害時連絡相手管理システム。
【請求項８】
前記連絡相手管理装置の前記連絡相手管理手段は、前記携帯端末のバッテリ残量が適合する対象バッテリ残量に対応付けられた前記登録ユーザの災害時連絡相手に対して、前記携帯端末の位置情報が記された電子メールを送信することを特徴とする、請求項７に記載した災害時連絡相手管理システム。
【請求項９】
前記連絡相手管理装置の前記連絡相手管理手段は、前記被災区域に住所が含まれる登録ユーザとメールの送受信を行える連絡相手を限定する指示に加え、該登録ユーザが所持する前記携帯端末のメール受信方法を手動設定に変更する指示を該登録ユーザが利用している通信会社のメール装置へ送信することを特徴とする、請求項６乃至８のいずれか一項に記載した災害時連絡相手管理システム。
【請求項１０】
前記連絡相手管理装置は、ユーザ登録するユーザが、ユーザが所持する携帯端末の連絡先と、ユーザの災害時連絡相手の連絡先と該災害時連絡相手の対象バッテリ残量を設定するユーザ登録手段を備えていることを特徴とする、請求項６乃至９のいずれか一項に記載した災害時連絡相手管理システム。
【発明の詳細な説明】
【技術分野】
【０００１】
本発明は、災害発生時に被災区域内にいる被災者とメールを送受信できる連絡相手を限定できるようにするための発明である。
【背景技術】
【０００２】
台風や地震などによる災害が発生した場合、安否確認などを目的として、被災区域内と被災区域外との間で連絡が増え、被災区域への通信回線のトラフィックが増大し、被災区域内にいる被災者と連絡が取りづらくなるケースがあるため、被災者のボイスメールを被災区域外に記憶させることにより、被災区域への通信回線のトラフィックを減らすことのできる伝言サービスが通信会社によって提供されている。
【０００３】
また、特許文献１では、被災区域内と被災区域外間の連絡に音声よりもデータサイズが小さくて済む電子メールを利用することで、被災区域への通信回線のトラフィックを減らす発明が開示され、特許文献１で開示されているサーバ装置は、地震が発生すると、サーバ装置に登録されているユーザの携帯端末に対し返信を求める安否確認メールを送信した後、該安否確認メールに対する返信メールの到来を監視し、該返信メールの到来の有無に応じて、該当するユーザに係わる安否確認情報を作成する。
【先行技術文献】
【特許文献】
【０００４】
【特許文献１】特開２００３−１８６９８０号公報
【発明の概要】
【発明が解決しようとする課題】
【０００５】
上述した伝言サービスや特許文献１で開示されている発明は、災害発生時における通信回線のトラフィックの増大を防止するための発明であるが、災害発生時に被災区域へ連絡を取る際に気をつけなければならい点として、被災区域への通信回線のトラフィックの増大以外に、被災者が所持する携帯端末のバッテリ残量がある。
【０００６】
台風や地震などによる災害が発生した被災区域では、電力系統のトラブルや家屋の倒壊などにより、被災者が所持する携帯端末への充電が困難になることが多いため、被災者は、災害発生時のバッテリ残量に応じた時間しか連絡を取り合うことができなくなるため、災害発生時のバッテリ残量が少ないときは必要な連絡相手とのみ連絡を取れるようにすることが望ましい。
【０００７】
そこで、本発明は、災害発生時に被災者となったユーザが所持する携帯端末のバッテリ残量に応じて、該ユーザとメールの送受信を行える連絡相手を限定することのできるシステム及び装置を提供することを目的とする。
【課題を解決するための手段】
【０００８】
上述した課題を解決する第１の発明は、災害発生時に、ユーザ登録した登録ユーザの連絡相手を管理する連絡相手管理装置と、登録ユーザが所持する携帯端末とから少なくとも構成される災害時連絡相手管理システムであって、災害発生時に前記携帯端末のバッテリ残量を前記連絡相手管理装置に通知できるように、前記携帯端末のバッテリ残量を取得するバッテリ残量取得手段と、前記連絡相手管理装置からバッテリ残量の送信要求を受けると、前記バッテリ残量取得手段が取得したバッテリ残量を前記連絡相手管理装置へ送信する制御手段を備えている。
【０００９】
また、第１の発明において、前記連絡相手管理装置は、災害の発生がわかるように、災害発生時に災害情報をキャストする災害通知装置から災害情報を取得する災害情報取得手段を備え、災害発生時に被災者となった前記登録ユーザが所持する前記携帯端末のバッテリ残量に応じて、該登録ユーザとメールの送受信を行える連絡相手を限定することのできるように、前記登録ユーザが所持する携帯端末の連絡先と、前記登録ユーザの災害時連絡相手の連絡先を災害時連絡相手に設定された対象バッテリ残量に対応付けて記憶し、前記災害情報取得手段が災害情報を前記災害通知装置から受信すると、該災害情報で示される被災区域に住所が含まれる前記登録ユーザを特定し、該登録ユーザの連絡先に対してバッテリ残量の送信要求を行った後、該登録ユーザとメールの送受信を行える連絡相手を、該登録ユーザが所持する携帯端末のバッテリ残量が適合する対象バッテリ残量に対応付けられた該登録ユーザの災害時連絡相手に限定する指示を、該登録ユーザが利用している通信会社のメール装置へ送信する連絡相手管理手段を備えている。
【００１０】
更に、第２の発明は、第１の発明に記載した災害時連絡相手管理システムにおいて、前記被災区域に住所が含まれる前記登録ユーザが災害発生時に前記被災区域にいたことを確かめることができるように、前記携帯端末は、前記携帯端末の位置情報を取得する位置情報取得手段を備え、前記制御手段は、前記連絡相手管理装置から位置情報の送信要求を受けると、前記位置情報取得手段が取得した位置情報を前記連絡相手管理装置へ送信する。
【００１１】
また、第２の発明において、前記連絡相手管理装置の前記連絡相手管理手段は、前記被災区域に住所が含まれる登録ユーザの連絡先に対してバッテリ残量の送信要求を行う前に、該登録ユーザの連絡先に対して位置情報の送信要求を行い、位置情報が該被災区域に含まれる該ユーザの連絡先に対してのみバッテリ残量の送信要求を行うことを特徴とする。
【００１２】
更に、第３の発明は、第２の発明に記載した災害時連絡相手管理システムにおいて、前記被災区域にいた前記登録ユーザから安否確認用のメールが送信できるように、前記連絡相手管理装置の前記連絡相手管理手段は、前記携帯端末のバッテリ残量が適合する対象バッテリ残量に対応付けられた前記登録ユーザの災害時連絡相手に対して、前記携帯端末の位置情報が記された電子メールを送信することを特徴とする。
【００１３】
更に、第４の発明は、第１の発明乃至第３の発明のいずれか一つに記載した災害時連絡相手管理システムにおいて、前記被災区域にいた前記登録ユーザが所持する前記携帯端末の消費電力を抑えるために、前記連絡相手管理装置の前記連絡相手管理手段は、前記被災区域に住所が含まれる登録ユーザとメールの送受信を行える連絡相手を限定する指示に加え、該登録ユーザが所持する前記携帯端末のメール受信方法を手動設定に変更する指示を該登録ユーザが利用している通信会社のメール装置へ送信することを特徴とする。
【００１４】
更に、第５の発明は、第１の発明乃至第４の発明のいずれか一つに記載した災害時連絡相手管理システムにおいて、ユーザが前記連絡相手管理装置に登録できるように、前記連絡相手管理装置は、ユーザ登録するユーザが、ユーザが所持する携帯端末の連絡先と、ユーザの災害時連絡相手の連絡先と該災害時連絡相手の対象バッテリ残量を設定するユーザ登録手段を備えていることを特徴とする。
【００１５】
更に、第６の発明は、第１の発明に記載した災害時連絡相手管理システムを構成する連絡相手管理装置で、第７の発明は、第２の発明に記載した災害時連絡相手管理システムを構成する連絡相手管理装置で、第８の発明は、第３の発明に記載した災害時連絡相手管理システムを構成する連絡相手管理装置で、第９の発明は、第４の発明に記載した災害時連絡相手管理システムを構成する連絡相手管理装置で、そして、第１０の発明は、第５の発明に記載した災害時連絡相手管理システムを構成する連絡相手管理装置である。
【発明の効果】
【００１６】
このように、本発明によれば、災害発生時に被災者となった登録ユーザが所持する携帯端末のバッテリ残量に応じて、該登録ユーザとメールの送受信を行える災害時連絡相手は決定されるため、該登録ユーザが所持する携帯端末のバッテリ残量に応じて、該登録ユーザとメールの送受信を行える連絡相手を限定することのできるようになる。
【図面の簡単な説明】
【００１７】
【図１】本発明に係る災害時連絡相手管理システムの構成を説明する図。
【図２】携帯端末のブロック図。
【図３】連絡相手管理装置のブロック図。
【図４】連絡相手管理装置に備えられたＤＢの構造を説明する図。
【図５】、ユーザ登録する際の連絡相手管理装置の動作を説明するフロー図。
【図６】ユーザ設定画面の一例を説明する図。
【図７】災害時連絡相手設定画面の一例を説明する図。
【図８】災害発生時の連絡相手管理装置の動作を説明するフロー図。
【発明を実施するための形態】
【００１８】
ここから、本発明に係る安否確認システムの好適な実施形態について、図面を参照しながら詳細に説明する。なお、これから説明する実施形態は本発明の一実施形態にしか過ぎず、本発明は、これから説明する実施形態に限定されることなく、種々の変形や変更が可能である。
【００１９】
図１は、本発明に係る災害時連絡相手管理システム１の構成を説明する図である。本発明に係る災害時連絡相手管理システム１は、災害発生時に被災者となった登録ユーザ２が所持する携帯端末１１のバッテリ残量に応じて、該登録ユーザ２とメール（電子メールに加え、ショートメッセージ）の送受信を行える連絡相手を限定するように開発されたシステムで、図１で図示した災害時連絡相手管理システム１は、災害発生時に登録ユーザ２とメールの送受信を行える連絡相手（以下、「災害時連絡相手」と記す。）を管理する連絡相手管理装置１０と、災害発生時に災害情報をキャストするサービスが運営されている災害通知装置１２と、連絡相手管理装置１０を利用する登録ユーザ２が所持する携帯端末１１と、登録ユーザ２が利用している通信会社のメール装置１３がネットワーク１４に接続した構成になっている。
【００２０】
図１で図示した災害時連絡相手管理システム１に含まれる災害通知装置１２は、ネットワーク１４を介して災害情報をキャストする機能を備えた装置で、例えば、様々な防災気象情報（例えば、地震情報）をナウキャスト（nowcast）する気象庁のシステムを災害通知装置１２として利用することができる。
【００２１】
図１で図示した災害時連絡相手管理システム１に含まれるメール装置１３は、登録ユーザ２が利用している通信会社（例えば、携帯電話会社）が運営している装置で、メール装置１３には、メールの受信／拒否を携帯電話会社毎に設定できる機能に加え、メール受信方法を自動受信／手動受信に設定する機能及びメールを送受信できる連絡相手を限定できる機能が備えられている。
【００２２】
なお、ここで、メールの自動受信とは、携帯端末１１が一定時間間隔毎にメールサーバに問い合わせてメールを受信する動作を意味し、また、メールの手動受信とは、登録ユーザ２が携帯端末１１で所定の操作をしたときに、メールサーバに問い合わせてメールを受信する動作を意味する。
【００２３】
図２は、図１で図示した災害時連絡相手管理システム１に含まれる携帯端末１１のブロック図である。図１で図示した災害時連絡相手管理システム１に含まれる携帯端末１１は、携帯電話やスマートフォンなどにより実現される装置で、携帯端末１１のプロセッサを動作させるためのアプリケーションプログラムにより実現される機能として、携帯端末１１の位置情報を取得する位置情報取得手段１１１と、携帯端末１１のバッテリ残量を取得するバッテリ残量取得手段１１２と、連絡相手管理装置１０から位置情報の送信要求を受けると、位置情報の送信要求を受けた時点の位置情報を連絡相手管理装置１０へ送信し、連絡相手管理装置１０からバッテリ残量の送信要求を受けると、バッテリ残量の送信要求を受けた時点のバッテリ残量を連絡相手管理装置１０へ送信する制御手段１１０を備えている。
【００２４】
携帯端末１１の位置情報を取得する手法としてはＧＰＳ（Global Positioning System）を利用する手法でも、携帯端末１１と交信可能な無線中継基地局の位置を利用して携帯端末１１の位置情報を割り出す手法でもよい。また、携帯端末１１のバッテリ残量取得手段１１２は携帯端末１１に備えられているバッテリメータを利用することができる。
【００２５】
図３は、図１で図示した連絡相手管理装置１０のブロック図である。図１で図示した災害時連絡相手管理システム１に含まれる連絡相手管理装置１０は汎用的なウェブサーバで実現される装置で、この連絡相手管理装置１０は、コンピュータプログラムを利用して実現される機能として、災害通知装置１２から災害情報を取得する災害情報取得手段１００と、災害発生時に被災者となった登録ユーザ２が所持する携帯端末１１のバッテリ残量を考慮して、該登録ユーザ２とメールの送受信を行える災害時連絡相手を決定する連絡相手管理手段１０１と、ユーザ登録するときに作動するユーザ登録手段１０２を備え、これらの手段が利用するデータを記憶するデータベース（DB: DataBase）として、登録ユーザ２自身に係るデータを記憶するユーザＤＢ１０３と、登録ユーザ２が設定した災害時連絡相手の連絡先を対象バッテリ残量に対応付けて記憶する災害時連絡相手ＤＢ１０４を備えている。
【００２６】
図４は、連絡相手管理装置１０に備えられたＤＢの構造を説明する図で、図４（ａ）は、ユーザＤＢ１０３の構造を説明する図、図４（ｂ）は、災害時連絡相手ＤＢ１０４の構造を説明する図である。
【００２７】
図４（ａ）に図示したように、ユーザＤＢ１０３には、連絡相手管理装置１０にユーザ登録した登録ユーザ２毎に、登録ユーザ２の氏名、登録ユーザ２の住所、登録ユーザ２の連絡先（ここでは、電子メールアドレス）、及び、災害発生時に災害時連絡相手に送信するメールの本文となる定型文書が記憶される。
【００２８】
また、災害時連絡相手ＤＢ１０４には、ユーザ登録した登録ユーザ２の連絡先に関連付けて、対象バッテリ残量により定義付けられるグループ毎に、該グループに属する災害時連絡相手の連絡先（ここでは、電子メールアドレス）が記憶される。
【００２９】
なお、グループを定義付ける対象バッテリ残量は任意に決定できるが、ここでは、対象バッテリ残量が６０％以上をグループ１とし、対象バッテリ残量が３０％以上をグループ２とし、対象バッテリ残量が１０％以上をグループ３としている。
【００３０】
ここから、ユーザ登録する際の連絡相手管理装置１０の動作及び災害発生時の連絡相手管理装置１０の動作を説明しながら、ユーザ登録する際の連絡相手管理装置１０の動作について説明する。図５は、ユーザ登録する際の連絡相手管理装置１０の動作を説明するフロー図である。
【００３１】
ユーザ登録する際、ユーザ登録するユーザは、ユーザが所持する携帯端末１１の通信会社が運営しているウェブサイトのバナー広告を利用するなどして、連絡相手管理装置１０のユーザ登録手段１０２へアクセスすると、ユーザ登録するユーザが所持する携帯端末１１から該携帯端末１１の固定番号が連絡相手管理装置１０のユーザ登録手段１０２に引き渡され、連絡相手管理装置１０のユーザ登録手段１０２は、連絡相手管理装置１０のユーザ登録手段１０２にアクセスのあった携帯端末１１に対し、登録ユーザ２自身のデータをユーザに入力させるユーザ設定画面を送信する（Ｓ１）。
【００３２】
図６は、連絡相手管理装置１０のユーザ登録手段１０２が携帯端末１１へ送信するユーザ設定画面の一例を説明する図である。図６に図示したユーザ設定画面３ａには、ユーザの住所、ユーザの氏名、ユーザの連絡先（ここでは、電子メールアドレス）、及び、位置情報に従う地名を挿入するタグ（ここでは、［位置情報］）を含む定型文書を入力するフォームが含まれ、ユーザがこれらのフォームに所定のデータを入力した後、図６に図示したユーザ設定画面のボタンオブジェクトをクリックすると、ユーザ設定画面に入力されたデータが連絡相手管理装置１０のユーザ登録手段１０２へ送信される。
【００３３】
ユーザ設定画面に入力されたデータが携帯端末１１から送信されると、連絡相手管理装置１０のユーザ登録手段１０２は、ユーザ設定画面を送信した携帯端末１１に対して、ユーザ登録するユーザに災害時連絡相手を設定させる災害時連絡相手設定画面を送信する（Ｓ２）。
【００３４】
図７は、連絡相手管理装置１０のユーザ登録手段１０２が携帯端末１１へ送信する災害時連絡相手設定画面の一例を説明する図である。図７で図示した災害時連絡相手設定画面３ｂには、対象バッテリ残量が６０％以上であるグループ１に属する災害時連絡相手、対象バッテリ残量が３０％以上であるグループ２に属する災害時連絡相手、及び、対象バッテリ残量が１０％以上であるグループ３に属する災害時連絡相手をそれぞれ設定するフォームが含まれ、ユーザがそれぞれのグループ毎に災害時連絡相手を入力し、図７に図示した災害時連絡相手設定画面３ｂのボタンオブジェクトをクリックすると、災害時連絡相手設定画面３ｂに入力されたデータが連絡相手管理装置１０のユーザ登録手段１０２へ送信される。
【００３５】
連絡相手管理装置１０のユーザ登録手段１０２は、ユーザ登録するユーザが所持する携帯端末１１から災害時連絡相手設定画面３ｂに入力されたデータが送信されると、図４で説明した構造に従い、ユーザ設定画面３ａに入力された登録ユーザ２に係るデータをユーザＤＢ１０３に登録し、ユーザ設定画面３ａに入力されたユーザの連絡先及び災害時連絡相手設定画面３ｂに入力されたデータを災害時連絡相手ＤＢ１０４に登録して、この手順を終了する。
【００３６】
なお、登録ユーザ２が利用する通信会社は、登録ユーザ２の連絡先に含まれるドメイン等から判断することができるが、ユーザ登録時に、ユーザが利用する通信会社を設定させるようにすることもできる。
【００３７】
次に、災害発生時の連絡相手管理装置１０の動作について説明する。図８は、災害発生時の連絡相手管理装置１０の動作を説明するフロー図である。
【００３８】
連絡相手管理装置１０の災害情報取得手段１００は、災害の発生を示す災害情報が公開されている災害通知装置１２のウェブページを常時監視するなどして、所定の災害情報のキャストを監視し、災害が発生した直後に災害通知装置１２から災害情報を受信すると（Ｓ１０）、災害情報取得手段１００は、災害通知装置１２からキャストされた災害情報の災害レベルが設定値以上であるか確認し（Ｓ１１）、災害レベルが設定値以上の災害情報でなければこの手順は終了する。
【００３９】
例えば、災害情報が地震情報である場合、連絡相手管理装置１０には、地震の災害レベルとして震度（ここでは、震度５）が記憶され、災害通知装置１２から通知された地震情報の震度が震度５以上でなければ、この手順は終了する。
【００４０】
連絡相手管理装置１０の災害情報取得手段１００は、災害通知装置１２からキャストされた災害情報が設定値以上の災害情報であれば、災害情報を連絡相手管理手段１０１に引き渡し、連絡相手管理装置１０の連絡相手管理手段１０１は、ユーザＤＢを参照して、住所が災害情報で特定される被災区域内にある登録ユーザ２を被災者候補として抽出し、被災者候補として抽出した登録ユーザ２のリストである被災者候補リストを作成する（Ｓ１２）。
【００４１】
連絡相手管理装置１０の連絡相手管理手段１０１は被災者候補リストを作成すると、被災者候補リストに含まれる登録ユーザ２を対象として、該登録ユーザ２とメールの送受信を行える連絡相手を限定する処理を行うループ処理Ｌ１を実施する。
【００４２】
このループ処理Ｌ１において連絡相手管理装置１０は、まず、ユーザＤＢを参照し、ループ処理Ｌ１の対象となる登録ユーザ２の連絡先に対して位置情報の送信要求を行う（Ｌ１０）。位置情報の送信要求を行う手法は様々あるが、例えば、連絡相手管理装置１０側で位置情報を取得するハイパーテキストが貼られた電子メールを登録ユーザ２の連絡先に送信し、該ハイパーテキストがクリックされると位置情報を取得するアプリケーションを送信することで実現できる。
【００４３】
位置情報の送信要求を受けると、位置情報の送信要求を受けた携帯端末１１の制御手段１１０は、位置情報取得手段１１１を作動させてこの時点の位置情報を取得し、取得した位置情報を連絡相手管理装置１０へ送信する（Ｌ１１）。
【００４４】
連絡相手管理装置１０の連絡相手管理手段１０１は、ループ処理Ｌ１の対象となった登録ユーザ２が所持する携帯端末１１から受信した位置情報が被災区域内である確認し（Ｌ１２）、被災区域内でなければ、ループ処理Ｌ１の対象となった登録ユーザ２は、登録ユーザ２の住所が災害情報で特定される被災区域内にあるが、災害発生時に被災区域内にいなかったと判断し、該登録ユーザ２に係る処理を終了し、被災区域内であれば、電子メールなどを利用して、ループ処理Ｌ１の対象となった登録ユーザ２の連絡先に対してバッテリ残量の送信要求を行う（Ｌ１３）。
【００４５】
バッテリ残量の送信要求を受けると、バッテリ残量の送信要求を受けた携帯端末１１の制御手段１１０は、バッテリ残量取得手段１１２を作動させてこの時点のバッテリ残量を取得し、取得したバッテリ残量を連絡相手管理装置１０へ送信する（Ｌ１４）。
【００４６】
連絡相手管理装置１０の連絡相手管理手段１０１は、携帯端末１１からバッテリ残量を受信すると、ループ処理Ｌ１の対象となった登録ユーザ２が所持する携帯端末１１のメール装置１３に対して、該携帯端末１１のメール受信方法を手動受信に設定する指示を出した後（Ｌ１５）、該携帯端末１１から受信したバッテリ残量に対応する災害時連絡相手を特定する処理を実施する（Ｌ１６）。
【００４７】
携帯端末１１から受信したバッテリ残量に対応する災害時連絡相手を特定する処理において、連絡相手管理装置１０は、災害時連絡相手ＤＢを参照し、携帯端末１１から受信したバッテリ残量が適合する対象バッテリ残量が対応付けられたグループを特定し、特定したグループに属する災害時連絡相手を、携帯端末１１から受信したバッテリ残量に対応する災害時連絡相手として特定する。
【００４８】
図４に従えば、携帯端末１１から受信したバッテリ残量が５０％であれば、５０％のバッテリ残量が適合する対象バッテリ残量が対応付けられたグループは、対象バッテリ残量が３０％以上であるグループ２と、対象バッテリ残量が１０％以上であるグループ３になるため、グループ２及びグループ３に属する災害時連絡相手が、ループ処理Ｌ１の対象となった携帯端末１１から受信したバッテリ残量に対応する災害時連絡相手になる。
【００４９】
連絡相手管理装置１０の連絡相手管理手段１０１は、ループ処理Ｌ１の対象となった携帯端末１１から受信したバッテリ残量に対応する災害時連絡相手を特定すると、ループ処理Ｌ１の対象となった登録ユーザ２が利用する通信会社のメール装置１３に対して、ループ処理Ｌ１の対象となった登録ユーザ２がメールを送受信できる連絡相手を特定した災害時連絡相手にする設定する指示を出した後（Ｌ１７）、災害時連絡相手ＤＢを参照し、特定した災害時連絡相手の連絡先に対して、ループ処理Ｌ１の対象となった登録ユーザ２が所持する携帯端末１１から取得した位置情報から特定できる地名を、ループ処理Ｌ１の対象となった登録ユーザ２が登録した定型文書に挿入した安否メールを送信して（Ｌ１８）、この手順を終了する。
【００５０】
このように、本実施形態の災害時連絡相手管理システム１によれば、災害発生時に被災者となった登録ユーザ２が所持する携帯端末１１のバッテリ残量に応じて、連絡相手管理装置１０により、該登録ユーザ２とメールの送受信を行える災害時連絡相手は決定されるため、該登録ユーザ２が所持する携帯端末１１のバッテリ残量に応じて、該登録ユーザ２とメールの送受信を行える連絡相手を限定することのできるようになる。
【符号の説明】
【００５１】
１    災害時連絡相手管理システム
１０  連絡相手管理装置
１００  災害情報取得手段
１０１  連絡相手管理手段
１０２  ユーザ登録手段
１０３  ユーザＤＢ
１０４  災害時連絡相手ＤＢ
１１  携帯端末
１１０  制御手段
１１１  位置情報取得手段
１１２  バッテリ残量取得手段
１２    災害情報通知装置
１３    メール装置
２    登録ユーザ
【図１】
2013080303.tif 000003
【図２】
2013080303.tif 000004
【図３】
2013080303.tif 000005
【図４】
2013080303.tif 000006
【図５】
2013080303.tif 000007
【図６】
2013080303.tif 000008
【図７】
2013080303.tif 000009
【図８】
2013080303.tif 000010